(57)【要約】【課題】着用状態に基づき、より正確な測定を可能にする生体情報獲得のための電子装置を提供する。【解決手段】第１属性を有する第１発光素子と第２属性を有する第２発光素子とを含む発光モジュール、及び前記発光モジュールに隣接して配置された受光モジュールを含む生体センサモジュールと、プロセッサと、を含み、前記プロセッサは、前記発光モジュールから出力された光が外部客体にぶつかって反射された反射光に少なくとも基づいて、前記生体センサモジュールと前記外部客体との間の距離を決定し、前記距離に少なくとも基づいて、前記第１発光素子及び前記第２発光素子のうちの少なくとも一つの発光素子を選択し、前記選択された少なくとも一つの発光素子を用いて、前記外部客体に対する生体情報を獲得するように設定される。【選択図】図５
2019042500.tif 000002
【特許請求の範囲】
【請求項１】
生体情報獲得のための電子装置であって、
第１属性を有する第１発光素子と第２属性を有する第２発光素子とを含む発光モジュール、及び前記発光モジュールに隣接して配置された受光モジュールを含む生体センサモジュールと、プロセッサと、を含み、前記プロセッサは、
前記発光モジュールから出力された光が外部客体にぶつかって反射された反射光に少なくとも基づいて、前記生体センサモジュールと前記外部客体との間の距離を決定し、
前記距離に少なくとも基づいて、前記第１発光素子及び前記第２発光素子のうちの少なくとも一つの発光素子を選択し、
前記選択された少なくとも一つの発光素子を用いて、前記外部客体に対する生体情報を獲得するように設定された、ことを特徴とする電子装置。
【請求項２】
前記第１発光素子及び前記第２発光素子は出力強度又は出力波長のうちの少なくとも一つが互いに相違する属性を含む、ことを特徴とする請求項１に記載の電子装置。
【請求項３】
前記受光モジュールは、第１受光素子及び第２受光素子を含む少なくとも２つの受光素子を含み、
前記プロセッサは、
前記距離に少なくとも基づいて、前記反射光を検出するための少なくとも一つの前記受光素子を選択するように設定された、ことを特徴とする請求項１に記載の電子装置。
【請求項４】
前記プロセッサは、
前記第１発光素子又は前記第２発光素子のうちの少なくとも一つが光を出力し、
前記出力された光に対応する反射光の強度が指定された値より大きい場合、前記第１発光素子及び前記第２発光素子が光を出力するように設定された、ことを特徴とする請求項１に記載の電子装置。
【請求項５】
前記プロセッサは、
前記決定された生体センサモジュールと前記外部客体の間の距離に少なくとも基づいて、前記生体センサモジュールと前記外部客体の密着度を第１密着度又は第２密着度の何れかであると決定し、
前記決定された密着度に少なくとも基づいて生体情報を獲得するための少なくとも一つの発光素子を選択するように設定された、ことを特徴とする請求項１に記載の電子装置。
【請求項６】
前記プロセッサは、
前記密着度が第１密着度であると決定された場合、前記第１発光素子及び前記第２発光素子のうちの何れか一つを駆動して前記生体情報を獲得し、
前記密着度が第２密着度であると決定された場合、前記第１発光素子又は前記第２発光素子のうちの少なくとも一つを駆動して前記生体情報を獲得する、ように設定されたことを特徴とする請求項５に記載の電子装置。
【請求項７】
モーションセンサをさらに含み、前記プロセッサは、
前記モーションセンサを用いて前記電子装置の状態を第１状態及び第２状態のうちの何れか一つであると決定し、
前記第１状態又は第２状態に基づいて前記第１発光素子又は前記第２発光素子のうちの少なくとも一つを駆動して前記外部客体に対する生体情報を獲得するように設定された、ことを特徴とする請求項１に記載の電子装置。
【請求項８】
前記プロセッサは、
前記電子装置の状態が第２状態の場合、
前記第２状態に対応して指定された前記第２発光素子を駆動するように設定された、ことを特徴とする請求項７に記載の電子装置。
【請求項９】
生体情報獲得のための電子装置の方法であって、
前記電子装置は、第１属性を有する第１発光素子と第２属性を有する第２発光素子とを含む発光モジュール、及び前記発光モジュールに隣接して配置された受光モジュールを含む生体センサモジュールを含み、
前記発光モジュールから出力された光が外部客体にぶつかって反射された反射光に少なくとも基づいて、前記生体センサモジュールと前記外部客体との間の距離を決定する動作と、
前記距離に少なくとも基づいて、前記第１発光素子及び前記第２発光素子のうちの少なくとも一つの発光素子を選択する動作と、
前記選択された少なくとも一つの発光素子を用いて、前記外部客体に対する生体情報を獲得する動作を含む、ことを特徴とする方法。
【請求項１０】
前記第１発光素子及び前記第２発光素子は出力強度又は出力波長のうちの少なくとも一つが互いに相違する属性を含む、ことを特徴とする請求項９に記載の方法。
【請求項１１】
前記受光モジュールは第１受光素子及び第２受光素子を含む少なくとも２つの受光素子を含み、
前記距離に少なくとも基づいて、前記反射光を検出するための少なくとも一つの前記受光素子を選択する動作をさらに含む、ことを特徴とする請求項９に記載の方法。
【請求項１２】
前記第１発光素子及び前記第２発光素子のうちの少なくとも一つを用いて光を出力する動作と、
前記出力された光に対応する反射光の強度が指定された値より大きい場合、前記第１発光素子及び前記第２発光素子が光を出力する動作をさらに含む、ことを特徴とする請求項９に記載の方法。
【請求項１３】
前記生体センサモジュールと前記外部客体の間の距離を決定する動作は、
前記決定された生体センサモジュールと前記外部客体の間の距離に基づいて、前記生体センサモジュールと前記外部客体の密着度を第１密着度又は第２密着度の何れかであると決定する動作を含み、
前記少なくとも一つの発光素子を選択する動作は、
前記決定された密着度によって生体情報を獲得するための少なくとも一つの発光素子を選択する動作を含む、ことを特徴とする請求項９に記載の方法。
【請求項１４】
前記少なくとも一つの発光素子を選択する動作は、
前記密着度が第１密着度であると決定された場合、前記第１発光素子及び前記第２発光素子のうちの何れか一つを選択して駆動して前記生体情報を獲得する動作と、
前記密着度が第２密着度であると決定された場合、前記第１発光素子及び前記第２発光素子のうちの少なくとも一つを駆動して前記生体情報を獲得する動作と、を含むことを特徴とする請求項１３に記載の方法。
【請求項１５】
モーションセンサを用いて前記電子装置の状態を第１状態及び第２状態のうちの何れか１つであると決定する動作をさらに含み、
前記少なくとも一つの発光素子を選択する動作は、
前記第１状態又は第２状態に基づいて前記第１発光素子又は前記第２発光素子のうちの少なくとも一つを駆動する動作を含む、ことを特徴とする請求項９に記載の方法。
【請求項１６】
前記少なくとも一つの発光素子を選択する動作は、
前記電子装置の状態が第２状態の場合、
前記第２状態に対応して指定された前記第２発光素子を選択する動作を含む、ことを特徴とする請求項１５に記載の方法。
【請求項１７】
生体情報獲得のための電子装置であって、
複数の発光素子及び複数の受光素子を含む生体センサモジュールと、
前記生体センサモジュールと電気的に接続されるプロセッサを含み、
前記プロセッサは、
前記複数の発光素子が光を出力するようにし、
前記複数の受光素子を駆動し、前記複数の受光素子から検出された受光強度を獲得し、
前記受光強度に基づいて前記複数の発光素子の各々と外部客体との間の距離を決定し、
前記距離に基づいて前記電子装置の着用状態を決定し、
前記決定された着用状態に基づいて生体情報獲得に用いる複数の発光素子のうちの少なくとも一つ及び前記少なくとも一つの発光素子の出力波長を決定し、
前記決定された着用状態に基づいて生体情報獲得に用いる複数の受光素子のうちの少なくとも一つを決定し、
前記決定された少なくとも一つの受光素子から検出された受光強度に基づいて前記外部客体に対する生体情報を獲得するように設定された、ことを特徴とする電子装置。
【請求項１８】
前記プロセッサは、
前記電子装置のモーション情報を獲得し、
前記獲得されたモーション情報に基づいて前記電子装置のモーション状態を決定し、
前記決定されたモーション状態にさらに基づいて、前記複数の発光素子のうちの少なくとも一つ及び前記少なくとも一つの発光素子の出力波長を決定し、
前記決定されたモーション状態にさらに基づいて、前記複数の受光素子のうちの少なくとも一つを決定するように設定された、ことを特徴とする請求項１７に記載の電子装置。
【請求項１９】
前記プロセッサは、
前記複数の発光素子の各々と外部客体の間の距離の平均値が指定された値より小さい場合、前記着用状態を第１状態であると決定し、前記各々の発光素子と外部客体との間の距離の平均値が前記指定された値より大きいか同じである場合、前記着用状態を第２状態であると決定し、
前記着用状態が前記第１状態であると決定された場合、前記複数の発光素子のうちの少なくとも２個を選択し、前記選択された少なくとも２個の発光素子の出力波長を互いに異なる値に決定し、前記着用状態が前記第２状態であると決定された場合、前記複数の発光素子のうちの何れか１つを選択するように設定された、ことを特徴とする請求項１８に記載の電子装置。
【請求項２０】
前記プロセッサは、
前記着用状態及び前記モーション状態に対応する少なくとも一つのタイプの生体情報を獲得するように設定された、ことを特徴とする請求項１８に記載の電子装置。
【発明の詳細な説明】
【技術分野】
【０００１】
本明細書は、生体情報獲得のための電子装置及びその方法に関し、特に、ユーザ身体への着用状態に基づくユーザの生体情報獲得のための電子装置及びその方法に関する。
【背景技術】
【０００２】
近年、移動通信技術及びプロセッサ技術の発達により、電子装置は手軽く携帯できると共に有無線ネットワークに自由に接続可能な形態に変貌しつつあり、電子装置が実行できる機能も多様となっている。また、電子装置の形態も多様となっており、その例としてユーザが身体の一部に直接付着して使用できるウェアラブル装置（ｗｅａｒａｂｌｅ  ｄｅｖｉｃｅ、着用装置）の形態が具現されている。ウェアラブル形態の電子装置は、例えば、ユーザの手首に付着する手首時計の形態であり、この場合、電子装置は固有の時計機能の以外に通話及びメッセージ送受信、各種アプリケーション実行、マルチメディアコンテンツの再生など多様な機能をサポートできる。
【０００３】
ウェアラブル形態の電子装置は、身体に直接付着して用いられるので多くの形態の生体センサを用いてユーザの生体情報を獲得するのに用いられることができる。例えば、電子装置はＰＰＧ（ｐｈｏｔｏｐｌｅｔｈｙｓｍｏｇｒａｐｈｙ）センサを用いてユーザの心拍、ストレス、血中酸素飽和度（ＳｐＯ２）などを測定する。この場合、ＰＰＧセンサは、Ｇｒｅｅｎ、Ｒｅｄ、ＩＲ（ｉｎｆｒａ−ｒｅｄ）などの多様な帯域の光を用いて生体情報を獲得し、電子装置は多様な出力帯域を用いるために２以上の発光素子及び／又は受光素子を備える。
【発明の概要】
【発明が解決しようとする課題】
【０００４】
電子装置に具備された発光素子は、出力帯域（例えば、緑（Ｇｒｅｅｎ）、赤（Ｒｅｄ）、赤外（ＩＲ）など）によって生体情報獲得時の長短所が存在する。例えば、低波長のＧｒｅｅｎは皮膚透過率が低いので正確な測定が難しく、高波長のＩＲ又はＲｅｄは、皮膚透過率が高いが、動きに敏感で電子装置の動きが激しい場合、正確に測定し難い。従来の電子装置は、発光素子の多様な出力帯域をサポートしても、電子装置の使用状態を考慮しない結果、生体情報の正確な測定が難しく、複数の発光素子の使用による電力浪費の問題があった。
【０００５】
本発明の多様な実施形態は、電子装置の使用状態を考慮し、より正確な生体情報の測定を可能にすることにその目的がある。
【課題を解決するための手段】
【０００６】
多様な実施形態による生体情報獲得のための電子装置は、第１属性を有する第１発光素子と第２属性を有する第２発光素子とを含む発光モジュール、及び前記発光モジュールに隣接して配置された受光モジュールを含む生体センサモジュールと、プロセッサとを含み、前記プロセッサは、前記発光モジュールから出力された光が外部客体にぶつかって反射された反射光に少なくとも基づいて、前記生体センサモジュールと前記外部客体との間の距離を決定し、前記距離に少なくとも基づいて、前記第１発光素子及び前記第２発光素子のうちの少なくとも一つの発光素子を選択し、前記選択された少なくとも一つの発光素子を用いて、前記外部客体に対する生体情報を獲得するように設定される。
【０００７】
多様な実施形態による生体情報獲得のための電子装置の方法であって、前記電子装置は第１属性を有する第１発光素子と第２属性を有する第２発光素子とを含む発光モジュール、及び前記発光モジュールに隣接して配置された受光モジュールを含む生体センサモジュールを含み、前記方法は、前記発光モジュールから出力された光が外部客体にぶつかって反射された反射光に少なくとも基づいて、前記生体センサモジュールと前記外部客体との間の距離を決定する動作と、前記距離に少なくとも基づいて、前記第１発光素子及び前記第２発光素子のうちの少なくとも一つの発光素子を選択する動作と、前記選択された少なくとも一つの発光素子を用いて、前記外部客体に対する生体情報を獲得する動作と、を含む。
【発明の効果】
【０００８】
本発明の多様な実施形態によれば、電子装置の使用状態によって生体情報の獲得に用いる発光素子及び／又は受光素子を決定することによって、使用状況に合う正確な生体情報の測定が可能になる効果がある。
【図面の簡単な説明】
【０００９】
【図１】は、多様な実施形態による、着用状態に基づいて生体情報を獲得するためのネットワーク環境内の電子装置のブロック図である。
【図２】（ａ）及び（ｂ）は、多様な実施形態による電子装置の外形を示す図面である。
【図３】は、多様な実施形態による光学センサモジュールの原理を示す図面である。
【図４】は、多様な実施形態による電子装置のブロック図である。
【図５】は、多様な実施形態による電子装置のブロック図である。
【図６】は、多様な実施形態による電子装置の生体情報獲得方法のフローチャートである。
【図７】は、多様な実施形態による電子装置の着用可否検出動作のフローチャートである。
【図８】は、多様な実施形態による電子装置の着用状態判断動作のフローチャートである。
【図９】は、多様な実施形態による電子装置の着用状態の例示及び各着用状態で測定された受光強度のグラフである。
【図１０】は、多様な実施形態による電子装置の着用状態の例示及び各着用状態で測定された受光強度のグラフである。
【図１１】は、多様な実施形態による電子装置の着用状態の例示及び各着用状態で測定された受光強度のグラフである。
【図１２】は、多様な実施形態による電子装置の着用状態の例示及び各着用状態で測定された受光強度のグラフである。
【図１３】は、多様な実施形態による電子装置のモーション状態判断動作のフローチャートである。
【図１４】は、多様な実施形態による電子装置の状態によって行うことができる生体情報測定機能を例示した表である。
【図１５】は、多様な実施形態による電子装置の生体情報獲得方法のフローチャートである。
【発明を実施するための形態】
【００１０】
図１は、多様な実施形態による、ネットワーク環境１００内の電子装置１０１のブロック図である。
図１を参照すれば、ネットワーク環境１００において電子装置１０１は、第１ネットワーク１９８（例えば、近距離無線通信）を介して電子装置１０２と通信するか、又は第２ネットワーク１９９（例えば、遠距離無線通信）を介して電子装置１０４又はサーバ１０８と通信する。一実施形態によれば、電子装置１０１はサーバ１０８を介して電子装置１０４と通信する。一実施形態によれば、電子装置１０１はプロセッサ１２０、メモリ１３０、入力装置１５０、音響出力装置１５５、表示装置１６０、オーディオモジュール１７０、センサモジュール１７６、インタフェース１７７、ハプティックモジュール１７９、カメラモジュール１８０、電力管理モジュール１８８、バッテリ１８９、通信モジュール１９０、加入者識別モジュール１９６、及びアンテナモジュール１９７を含む。ある実施形態では、電子装置１０１にはこの構成要素のうちの少なくとも一つ（例えば、表示装置１６０又はカメラモジュール１８０）が省略されるか、又は他の構成要素が追加される。ある実施形態では、例えば、表示装置１６０（例えば、ディスプレー）にエンベッディングされたセンサモジュール１７６（例えば、指紋センサ、虹彩センサ、又は照度センサ）の場合のように一部の構成要素が統合されて具現される。
【００１１】
プロセッサ１２０は、例えば、ソフトウェア（例えば、プログラム１４０）を駆動してプロセッサ１２０に接続された電子装置１０１の少なくとも一つの他の構成要素（例えば、ハードウェア又はソフトウェア構成要素）を制御し、多様なデータ処理及び演算を行う。プロセッサ１２０は他の構成要素（例えば、センサモジュール１７６又は通信モジュール１９０）から受信された命令又はデータを揮発性メモリ１３２にロードして処理し、結果データを不揮発性メモリ１３４に格納して記憶させる。一実施形態によれば、プロセッサ１２０は、メインプロセッサ１２１（例えば、中央処理装置又はアプリケーションプロセッサ）、及びこれとは独立的に操作され、追加的又は大体的に、メインプロセッサ１２１より低電力を使用するか、又は指定された機能に特化された補助プロセッサ１２３（例えば、グラフィック処理装置、イメージシグナルプロセッサ、センサハブ（ｓｅｎｓｏｒ＿ｈｕｂ）プロセッサ、又はコミュニケーションプロセッサ）を含むことができる。ここで、補助プロセッサ１２３はメインプロセッサ１２１と別個で、又はエンベッディングされて（組み込まれて）操作されることができる。
【００１２】
このような場合、補助プロセッサ１２３は、例えば、メインプロセッサ１２１がインアクティブ（例えば、スリープ）状態にある内にメインプロセッサ１２１の代わり、又はメインプロセッサ１２１がアクティブ（例えば、アプリケーション実行）状態にある内にメインプロセッサ１２１と共に、電子装置１０１の構成要素のうちの少なくとも一つの構成要素（例えば、表示装置１６０、センサモジュール１７６、又は通信モジュール１９０）に係る機能又は状態の少なくとも一部を制御する。一実施形態によれば、補助プロセッサ１２３（例えば、イメージシグナルプロセッサ又はコミュニケーションプロセッサ）は、機能的に関連ある他の構成要素（例えば、カメラモジュール１８０又は通信モジュール１９０）の一部構成要素として具現される。メモリ１３０は、電子装置１０１の少なくとも一つの構成要素（例えば、プロセッサ１２０又はセンサモジュール１７６）によって用いられる多様なデータ、例えば、ソフトウェア（例えば、プログラム１４０）及び、これにおける命令に係る入力データ又は出力データを記憶する。メモリ１３０は、揮発性メモリ１３２及び／又は不揮発性メモリ１３４を含む。
【００１３】
プログラム１４０は、メモリ１３０に記憶されるソフトウェアとして、例えば、オペレーティングシステム１４２、ミドルウェア１４４又はアプリケーション１４６を含む。
【００１４】
入力装置１５０は、電子装置１０１の構成要素（例えば、プロセッサ１２０）に用いられる命令又はデータを電子装置１０１の外部（例えば、ユーザ）から受信するための装置として、例えば、マイク、マウス、又はキーボードを含む。
【００１５】
音響出力装置１５５は、音響信号を電子装置１０１の外部で出力するための装置として、例えば、マルチメディア再生又は録音再生のように一般的な用途で用いられるスピーカと電話受信専用で用いられるレシーバを含む。一実施形態によれば、レシーバはスピーカと一体又は別途に形成される。
【００１６】
表示装置１６０は、電子装置１０１のユーザに情報を視覚的に提供するための装置として、例えば、ディスプレー、ホログラム装置、又はプロジェクタ及び当該装置を制御するための制御回路を含む。一実施形態によれば、表示装置１６０はタッチ回路（ｔｏｕｃｈ  ｃｉｒｃｕｉｔｒｙ）又はタッチに係る圧力の強度を測定する圧力センサを含む。
【００１７】
オーディオモジュール１７０は、音と電気信号を双方向で変換する。一実施形態によれば、オーディオモジュール１７０は、入力装置１５０を介して音を獲得するか、音響出力装置１５５、又は電子装置１０１と有線又は無線で接続された外部電子装置（例えば、電子装置１０２（例えば、スピーカ又はヘッドフォン））を介して音を出力する。
【００１８】
センサモジュール１７６は、電子装置１０１の内部の作動状態（例えば、電力又は温度）、又は外部の環境状態に対応する電気信号又はデータ値を生成する。センサモジュール１７６は、例えば、ジェスチャーセンサ、ジャイロセンサ、気圧センサ、マグネチックセンサ、加速度センサ、グリップセンサ、近接センサ、カラーセンサ、ＩＲ（ｉｎｆｒａｒｅｄ）センサ、生体センサ、温度センサ、湿度センサ、又は照度センサを含む。
【００１９】
インタフェース１７７は、外部電子装置（例えば、電子装置１０２）と有線又は無線で接続する指定されたプロトコルをサポートする。一実施形態によれば、インタフェース１７７は、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＵＳＢ（ｕｎｉｖｅｒｓａｌ  ｓｅｒｉａｌ  ｂｕｓ）インタフェース、ＳＤカードインタフェース、又はオーディオインタフェースを含む。
【００２０】
接続端子１７８は、電子装置１０１と外部電子装置（例えば、電子装置１０２）を物理的に接続させることができるコネクタ、例えば、ＨＤＭＩ（登録商標）コネクタ、ＵＳＢコネクタ、ＳＤカードコネクタ、又はオーディオコネクタ（例えば、ヘッドフォンコネクタ）を含む。
【００２１】
ハプティックモジュール１７９は、電気的信号をユーザが触覚又は運動感覚を介して認知できる機械的な刺激（例えば、振動又は動き）又は電気的な刺激に変換する。ハプティックモジュール１７９は、例えば、モータ、圧電素子、又は電気刺激装置を含む。
【００２２】
カメラモジュール１８０は、静止映像及び動画像を撮影する。一実施形態によれば、カメラモジュール１８０は一つ以上のレンズ、イメージセンサ、イメージシグナルプロセッサ、又はフラッシュを含む。
【００２３】
電力管理モジュール１８８は、電子装置１０１に供給される電力を管理するためのモジュールとし、例えば、ＰＭＩＣ（ｐｏｗｅｒ  ｍａｎａｇｅｍｅｎｔ  ｉｎｔｅｇｒａｔｅｄ  ｃｉｒｃｕｉｔ）の少なくとも一部として構成される。
【００２４】
バッテリ１８９は、電子装置１０１の少なくとも一つの構成要素に電力を供給するための装置として、例えば、再充電不可能な１次電池、及び／若しくは、再充電可能な２次電池又は燃料電池を含む。
【００２５】
通信モジュール１９０は、電子装置１０１と外部電子装置（例えば、電子装置１０２、電子装置１０４、又はサーバ１０８）との間の有線又は無線通信チャンネルの樹立、及び樹立された通信チャンネルを通じる通信実行をサポートする。通信モジュール１９０は、プロセッサ１２０（例えば、アプリケーションプロセッサ）と独立的に操作される、有線通信又は無線通信をサポートする一つ以上のコミュニケーションプロセッサを含む。一実施形態によれば、通信モジュール１９０は、無線通信モジュール１９２（例えば、セルラー通信モジュール、近距離無線通信モジュール、又はＧＮＳＳ（ｇｌｏｂａｌ  ｎａｖｉｇａｔｉｏｎ  ｓａｔｅｌｌｉｔｅ  ｓｙｓｔｅｍ）通信モジュール）又は有線通信モジュール１９４（例えば、ＬＡＮ（ｌｏｃａｌ  ａｒｅａ  ｎｅｔｗｏｒｋ）通信モジュール、又は電力線通信モジュール）を含み、その中に該当する通信モジュールを用いて第１ネットワーク１９８（例えば、ブルートゥース（登録商標）、ＷｉＦｉｄｉｒｅｃｔ又はＩｒＤＡ（ｉｎｆｒａｒｅｄ  ｄａｔａ  ａｓｓｏｃｉａｔｉｏｎ）のような近距離通信ネットワーク）又は第２ネットワーク１９９（例えば、セルラネットワーク、インタネット、又はコンピュータネットワーク（例えば、ＬＡＮ又はＷＡＮ）のような遠距離通信ネットワーク）を介して外部電子装置と通信できる。上述した多くの種類の通信モジュール１９０は一つのチップで具現されるか、又は各々別途のチップで具現される。
【００２６】
一実施形態によれば、無線通信モジュール１９２は加入者識別モジュール１９６に記憶されたユーザ情報を用いて通信ネットワーク内で電子装置１０１を区別及び認証する。
【００２７】
アンテナモジュール１９７は、信号又は電力を外部で送信し、外部から受信するための一つ以上のアンテナを含む。一実施形態によれば、通信モジュール１９０（例えば、無線通信モジュール１９２）は、通信方式に適合したアンテナを介して信号を外部電子装置へ送信し、外部電子装置から受信する。
【００２８】
前記構成要素のうちの一部構成要素は、周辺機器の間の通信方式（例えば、バス、ＧＰＩＯ（ｇｅｎｅｒａｌ  ｐｕｒｐｏｓｅ  ｉｎｐｕｔ／ｏｕｔｐｕｔ）、ＳＰＩ（ｓｅｒｉａｌ  ｐｅｒｉｐｈｅｒａｌ  ｉｎｔｅｒｆａｃｅ）、又はＭＩＰＩ（ｍｏｂｉｌｅ  ｉｎｄｕｓｔｒｙ  ｐｒｏｃｅｓｓｏｒ  ｉｎｔｅｒｆａｃｅ））を介して互いに接続されて信号（例えば、命令又はデータ）を相互間で交換する。
【００２９】
一実施形態によれば、命令又はデータは、直接又は第２ネットワーク１９９に接続されたサーバ１０８を介して電子装置１０１と外部の電子装置１０４との間で送信又は受信される。電子装置１０２、１０４各々は、電子装置１０１と同一又は他の種類の装置である。一実施形態によれば、電子装置１０１で実行される動作の全部又は一部は他の一つ又は複数の外部電子装置で実行できる。一実施形態によれば、電子装置１０１がある機能やサービスを自動的に、又はリクエストにより実行しなければならない場合に、電子装置１０１は該機能又はサービスを、又は追加的にそれと連関された少なくとも一部機能を、自身で実行する代りに外部電子装置にリクエストできる。前記リクエストを受信した外部電子装置はリクエストされた機能又は追加機能を実行し、その結果を電子装置１０１へ伝達する。電子装置１０１は、受信された結果をそのまま、又は追加的に処理してリクエストされた機能やサービスとして提供する。このために、例えば、クラウドコンピュータ、分散コンピュータ、又はクライアント−サーバコンピュータ技術が用いられる。
【００３０】
本文書に開示された多様な実施形態による電子装置は、多様な形態の装置となる。
該電子装置は、例えば、ポータブル通信装置（例えば、スマートフォン）、コンピュータ装置、ポータブルマルチメディア装置、ポータブル医療機器、カメラ、ウェアラブル装置、又は家電装置のうちの少なくとも一つを含む。本文書の実施形態による電子装置は前述した機器に限定されない。
【００３１】
本文書の多様な実施形態及びここに用いられた用語は、本文書に記載した技術を特定の実施形態に限定する意図はなく、当該実施形態の多様な変更、均等物、及び／又は代替物を含むと理解されなければならない。図面の説明と関連して類似の構成要素に対しては類似の参照符号が用いられる。単数の表現は文脈上、明白に意図しない限り、複数の表現を含む。本文書において、“Ａ又はＢ”、“Ａ及び／又はＢのうちの少なくとも一つ”、“Ａ、Ｂ又はＣ”又は“Ａ、Ｂ及び／又はＣのうちの少なくとも一つ”などの表現は、共に羅列された項目のすべての可能な組合を含むことができる。“第１”、“第２”、“一番目”又は“二番目”などの表現は、当該構成要素を、順序又は重要度に関係なく修飾でき、一つの構成要素を他の構成要素と区分するために用いられるだけであって、当該構成要素を限定しない。或る（例えば、第１）構成要素が異なる（例えば、第２）構成要素に“（機能的又は通信的に）接続され”たり“接続されて”いると言及された時には、前記或る構成要素が前記異なる構成要素に直接的に接続されるか、又は、他の（例えば、第３）構成要素を介して接続される。
【００３２】
本文書で用いられる用語“モジュール”は、ハードウェア、ソフトウェア又はファームウエアから構成されたユニットを含み、例えば、ロジッグ、論理ブロック、部品、又は回路などの用語と相互互換的に使用される。モジュールは、一体から構成された部品、又は一つ以上の機能を実行する最小単位、或いはその一部となり得る。例えば、モジュールはＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）から構成される。
【００３３】
本文書の多様な実施形態は、機器（ｍａｃｈｉｎｅ）（例えば、コンピュータ）で読み取り可能な記憶媒体（ｍａｃｈｉｎｅ−ｒｅａｄａｂｌｅ  ｓｔｏｒａｇｅ  ｍｅｄｉａ）（例えば、内蔵メモリ１３６）又は外付けメモリ１３８）に記憶された命令語を含むソフトウェア（例えば、プログラム１４０）により具現される。機器は、記憶媒体から記憶された命令語を呼び出し、呼び出された命令語によって動作が可能な装置として、開示された実施形態による電子装置（例えば、電子装置１０１）を含む。前記命令がプロセッサ（例えば、プロセッサ１２０）によって実行される場合、プロセッサが直接、又は前記プロセッサの制御下に他の構成要素を用いて前記命令に該当する機能を実行する。命令はコンパイラ又はインタプリタによって生成又は実行されるコードを含む。機器で読み取り可能な記憶媒体は、非一時的（ｎｏｎ−ｔｒａｎｓｉｔｏｒｙ）記憶媒体の形態で提供される。ここで、‘非一時的’は記憶媒体が信号（ｓｉｇｎａｌ）を含ませず実在（ｔａｎｇｉｂｌｅ）するということを意味するだけ、データが記憶媒体に半永久的又は臨時的に記憶されることを区分しない。
【００３４】
一実施形態によれば、本文書に開示された多様な実施形態による方法は、コンピュータプログラム製品（ｃｏｍｐｕｔｅｒ  ｐｒｏｇｒａｍ  ｐｒｏｄｕｃｔ）に含まれて提供され得る。コンピュータプログラム製品は、商品として販売者及び購買者の間で取り引きされ得る。コンピュータプログラム製品は機器で読み取り可能な記憶媒体（例えば、ｃｏｍｐａｃｔ  ｄｉｓｃ  ｒｅａｄ  ｏｎｌｙ  ｍｅｍｏｒｙ（ＣＤ−ＲＯＭ））の形態で、又はアプリケーションストア（例えば、プレーストアＴＭ）を介してオンラインに配布される。オンライン配布の場合に、コンピュータプログラム製品の少なくとも一部は製造社のサーバ、アプリケーションストアのサーバ、又は中継サーバのメモリのような記憶媒体に少なくとも一時記憶されるか、又は、臨時的に生成される。
【００３５】
多様な実施形態による構成要素（例えば、モジュール又はプログラム）各々は単数又は複数のサブ構成要素から構成され、前述の当該サブ構成要素のうちの一部サブ構成要素が省略されるか、又は他のサブ構成要素が多様な実施形態にさらに含まれ得る。全体的又は追加的に、一部構成要素（例えば、モジュール又はプログラム）は一つの個体（構成要素）に統合され、統合される以前の各々の当該構成要素により行われる機能を同一又は類似に実行できる。多様な実施形態による、モジュール、プログラム又は他の構成要素によって行われる動作は、順次、並列的、繰り返し的又はヒューリスティックするように実行され、少なくとも一部動作が他の手順で実行され、省略され、又は他の動作が追加される。
【００３６】
図２（ａ）及び図２（ｂ）は多様な実施形態の一例による電子装置の外形を示した図面である。
図２（ａ）に示されたように、電子装置２００は、手首着用型ウェアラブル（ｗｅａｒａｂｌｅ）装置（例えば、時計、腕輪型、バンド型、バングルタイプなど）である。ただ、ここに限定されず、光学センサモジュール（例えば、ＰＰＧ（ｐｈｏｔｏｐｌｅｔｈｙｓｍｏｇｒａｐｈｙ、光電式容積脈波記録）センサ）を搭載してユーザの近接時のユーザの生体情報を獲得する多様な種類の電子装置が本発明の電子装置２００に該当する。例えば、多様な実施形態による電子装置２００は、生体センサを備えたスマートフォン、ヘッドマウント装置（例えば、ＶＲ（ｖｉｒｔｕａｌ  ｒｅａｌｉｔｙ）装置、ＡＲ（ａｕｇｍｅｎｔｅｄ  ｒｅａｌｉｔｙ）装置、ＭＲ（ｍｉｘｅｄ  ｒｅａｌｉｔｙ）装置、メガネ型装置など）、身体付着型機器（例えば、ヘルスパッチ、デジタルタトゥーなど）、衣類型機器（例えば、スマート衣類、手袋、履き物など）、バンド型機器（例えば、手首／アームバンド、スマートリングなど）などで具現される。
【００３７】
図２（ａ）に示されたように、電子装置２００は、本体（ｂｏｄｙ）とストラップ（ｓｔｒａｐ）を含む。本体の前面（例えば、ユーザが着用時の外部で露出する面）にはディスプレー（即ち、表示装置）２６０が設けられ、時間情報を含めてメッセージ、通話など多様なアプリケーション画面が表示される。電子装置２００のユーザはストラップ（ｓｔｒａｐ）を用いて自分の身体（例えば、手首）に電子装置２００を着用する。
【００３８】
図２（ｂ）は、電子装置２００の本体の背面（例えば、ユーザが着用時のユーザの身体に接触する面）を示した図面である。多様な実施形態によれば、電子装置２００は光学センサモジュール２１０を含み、光学センサモジュール２１０の発光素子及び受光素子は本体の背面から外部に露出されて外部客体に光を出力し、それから反射された反射光を検出する。
【００３９】
多様な実施形態によれば、光学センサモジュール２１０は、ＰＰＧセンサを含む。ＰＰＧセンサは、発光素子（例えば、ＬＥＤ）で出力した光が外部客体（例えば、ユーザの身体）に反射された反射光を受光素子（例えば、ｐｈｏｔｏｄｉｏｄｅ）で検出し、受光素子で検出した反射光に基づいて、ユーザの心拍（ｈｅａｒｔｒａｔｅ）、ストレス（ｓｔｒｅｓｓ）、血中酸素飽和度（ＳｐＯ２）などの生体情報を測定できる。
【００４０】
多様な実施形態によれば、光学センサモジュール２１０は、少なくとも一つの発光素子及び受光素子を含む。例えば、図２（ｂ）に示されたように、光学センサモジュール２１０は３個の発光素子及び２個の受光素子を含むが、発光素子及び受光素子の数及び／又は配置形態は図２（ｂ）に限定されない。一実施形態によれば、光学センサモジュール２１０において発光素子及び受光素子は１字（直線）に配置され、電子装置の動きを効果的に検出でき、信号の検出に最も優れた受光素子を選択できる。
【００４１】
発光素子は可視光帯域（例えば、Ｇｒｅｅｎ、Ｒｅｄなど）及び／又は赤外線帯域の光を出力できるＬＥＤを含む。例えば、発光素子は波長が５２０〜５６５ｎｍであるＧｒｅｅｎ光、波長が６６０ｎｍであるＲｅｄ光、及び／又は波長が８８０〜９４０ｎｍであるＩＲ（ｉｎｆｒａ−ｒｅｄ）  光を出力することができる。Ｇｒｅｅｎ光を用いる場合、動きには強いが皮膚透過率が低く、Ｒｅｄ光又はＩＲ光を用いる場合、皮膚透過率は高いが信号強度が弱くて動きに敏感なことがある。
【００４２】
多様な実施形態によれば、各々の発光素子は各々固定された波長帯域の光を出力するか（例えば、第１発光素子はＧｒｅｅｎ、第２発光素子はＩＲ帯域の光を出力）、又は、各々の発光素子が多様な波長帯域の光を出力する。受光素子は受光強度を検出して電気的信号に変換して出力するフォトダイオード（ｐｈｏｔｏｄｉｏｄｅ）を含み、各々の受光素子は対応される一つの発光素子で出力した光の反射光を検出するか、又は、全ての発光素子で出力した光の反射光を検出する。光学センサモジュール２１０を用いてユーザの生体情報を獲得する原理に対しては図３を介してより詳しく説明する。  
【００４３】
多様な実施形態によれば、電子装置２００は、モーションセンサ２２０をさらに含む。モーションセンサ２２０はジャイロセンサ（ｇｙｒｏ  ｓｅｎｓｏｒ）、加速度センサ（ａｃｃｅｌｅｒａｔｉｏｎ  ｓｅｎｓｏｒ）など電子装置２００の動きを検出できる多様な種類のセンサにより具現される。電子装置２００はモーションセンサ２２０のセンシング信号に基づいて電子装置２００の動きの程度を判断し、それにより電子装置２００のモーション状態（例えば、平常、睡眠、運動など）を決定する。
【００４４】
本発明の多様な実施形態によれば、電子装置２００は電子装置２００の使用状態（例えば、着用状態及び／又はモーション状態）を考慮し、生体情報獲得のために発光素子及び／又は受光素子を選択的に駆動する。それによって、ユーザに差別化された多様な生体情報を提供し、測定信号の正確度増加、消耗電流改善、ユーザの生体情報測定時の不便さ除去などの効果を達成できる。
【００４５】
図３は、多様な実施形態による光学センサモジュールの原理を示した図面である。
図３は、電子装置３００をユーザが着用した状態で発光素子３１２（例えば、第１発光素子３１２ａ及び第２発光素子３１２ｂ）から出力された光が外部客体３９０（例えば、ユーザの手首）にぶつかって反射された反射光が受光素子３１４を介して検出される原理を示している。図３では２個の発光素子３１２ａ及び３１２ｂと一つの受光素子３１４が示されたが、前述したように、電子装置３００は複数の発光素子３１２及び／又は受光素子３１４を含むことができ、その数にはこの実施形態に限られない。
【００４６】
発光素子３１２はプロセッサ（例えば、図１のプロセッサ１２０、図４のプロセッサ４３０）の制御信号によって特定の波長帯域（例えば、Ｇｒｅｅｎ、Ｒｅｄ、ＩＲ）の光を出力する。発光素子３１２で出力した光は潅流組織（ｐｅｒｆｕｓｅｄ  ｔｉｓｓｕｅ）３９２及び／又は骨３９４を介して反射され、ユーザの身体状況により受光素子３１４で受信される受光強度の性質が変わる。例えば、ユーザの手首の血管を流れる血液が増加する場合、血管が膨脹し、それにより反射されて受光素子３１４で検出される反射光の量は減少する。このように、電子装置３００は受光素子３１４で検出された反射光の属性によってユーザの心拍、ストレス、血中酸素飽和度（ＳｐＯ２）などの生体情報を測定できる。
【００４７】
図４は、多様な実施形態による電子装置のブロック図である。
図示されたように、電子装置４００は、光学センサモジュール４１０、モーションセンサ４２０、プロセッサ４３０、メモリ４４０、ディスプレー４５０及び通信モジュール４６０を含み、必要によっては示された構成のうちの少なくとも一部が省略又は置換されても本発明の多様な実施形態を具現できる。電子装置４００は前述の図２（ａ）及び２（ｂ）を介して説明したウェアラブルデバイスであれば良く、これに限定されず、光学センサモジュール４１０を搭載してユーザの近接時のユーザの生体情報を獲得できるスマートフォン、ヘッドマウント装置（例えば、ＶＲ（ｖｉｒｔｕａｌ  ｒｅａｌｉｔｙ、仮想現実）装置、ＡＲ（ａｕｇｍｅｎｔｅｄ  ｒｅａｌｉｔｙ、拡張現実）装置、ＭＲ（ｍｉｘｅｄ  ｒｅａｌｉｔｙ、混合現実）装置、メガネ型装置など）、身体付着型機器（例えば、ヘルスパッチ、デジタルタトゥーなど）、衣類型機器（例えば、スマート衣類、手袋、履き物など）、バンド型機器（例えば、手首／アームバンド、スマートリングなど）、などにより具現される。
【００４８】
光学センサモジュール４１０は、発光モジュール及び受光モジュールを含み、発光モジュールは複数の発光素子（例えば、図３の第１発光素子３１２ａ及び第２発光素子３１２ｂ）を含み、受光モジュールは複数の受光素子（例えば、第１受光素子及び第２受光素子）を含む。以下では、発光モジュールが第１発光素子及び第２発光素子を含む場合を説明するが、発光モジュールに含まれた発光素子の数はこれに限定されない。
【００４９】
前述の図２（ｂ）を介して説明したように、発光素子及び受光素子は電子装置４００の本体の背面で外部に露出し、ユーザが電子装置４００を着用時のユーザの身体と接触（又は近接）する。光学センサモジュール４１０はプロセッサ４３０と電気的に接続され、プロセッサ４３０の制御信号によって駆動される発光素子及びその出力波長が決定され、受光素子で検出された受光強度は電気的信号に変換されてプロセッサ４３０に提供される。
【００５０】
多様な実施形態によれば、発光モジュールの第１発光素子は第１属性を有して第２発光素子は第２属性を有し、ここで第１属性及び第２属性は発光素子の出力強度及び／又は出力波長に係る属性である。多様な実施形態によれば、第１発光素子及び第２発光素子は出力強度又は出力波長のうちの少なくとも一つが互いに相違する属性を含む。
【００５１】
モーションセンサ４２０はジャイロセンサ、加速度センサなど電子装置４００の動きを検出できる多様な種類のセンサで具現される。モーションセンサ４２０はプロセッサ４３０と電気的に接続され、電子装置４００の動き検出によって生成したモーション信号をプロセッサ４３０に提供する。
【００５２】
メモリ４４０は揮発性メモリ４４０（例えば、図１の揮発性メモリ１３２）及び／又は不揮発性メモリ（例えば、図１の不揮発性メモリ１３４）を含み、プロセッサ４３０と電気的に接続される。メモリ４４０はプロセッサ４３０で実行される多様なインストラクション（ｉｎｓｔｒｕｃｔｉｏｎ、命令）を記憶する。このようなインストラクションは制御回路が認識できる算術及び論理演算、データ移動、入出力などの制御命令を含むことができ、メモリ４４０に記憶されたフレームワーク（ｆｒａｍｅ  ｗｏｒｋ）上で定義される。また、メモリ４４０は図１のプログラム１４０のうちの少なくとも一部を記憶する。
【００５３】
多様な実施形態によれば、プロセッサ４３０は電子装置４００の各構成要素の制御及び／又は通信に関する演算やデータ処理を行う構成として、図１のプロセッサ１２０の構成及び／又は機能のうちの少なくとも一部を含む。他の実施形態によれば、プロセッサ４３０は電子装置４００に設けた多くのセンサ（例えば、光学センサモジュール４１０、モーションセンサ４２０など）のセンシング信号の検出及びセンサ制御などを行うセンサハブ（ｓｅｎｓｏｒ  ｈｕｂ）に含まれることができる。プロセッサ４３０は、光学センサモジュール４１０、モーションセンサ４２０、メモリ４４０、ディスプレー４５０、通信モジュール４６０などの、電子装置４００の内部構成要素と電気的に接続される。
【００５４】
プロセッサ４３０が電子装置４００内で具現できる演算及びデータ処理機能には限定されないが、以下では、プロセッサ４３０が電子装置４００の使用状態（例えば、着用状態及びモーション状態）を確認し、それに基づいて光学センサモジュール４１０を制御して生体情報を獲得するための多様な実施形態に対して説明する。後述するプロセッサ４３０の動作は前述したメモリ４４０に記憶されたインストラクションをローディング（ｌｏａｄｉｎｇ）することによって行われる。
【００５５】
ディスプレー４５０は、映像を表示するための構成として、液晶ディスプレー（ｌｉｑｕｉｄ  ｃｒｙｓｔａｌ  ｄｉｓｐｌａｙ（ＬＣＤ））、発光ダイオード（ｌｉｇｈｔ−ｅｍｉｔｔｉｎｇ  ｄｉｏｄｅ（ＬＥＤ））ディスプレー、有機発光ダイオード（ｏｒｇａｎｉｃ  ｌｉｇｈｔ−ｅｍｉｔｔｉｎｇ  ｄｉｏｄｅ（ＯＬＥＤ））ディスプレー、などにより具現される。
ディスプレー４５０は図１の表示装置１６０の構成及び／又は機能のうちの少なくとも一部を含み、図２（ａ）のディスプレー２６０のような形態で配置される。プロセッサ４３０は生体情報獲得時、生体情報から生成された視覚的情報及び生体情報獲得に係って必要な視覚的通知をディスプレー４５０上に表示する。
【００５６】
通信モジュール４６０は、多様な外部電子装置４００とデータを送受信するための構成で、図１の通信モジュール１９０の構成及び／又は機能のうちの少なくとも一部を含む。
【００５７】
多様な実施形態によれば、プロセッサ４３０は光学センサモジュール４１０を用いて外部客体（例えば、ユーザの身体）から、心拍、ストレス、血中酸素飽和度（ＳｐＯ２）などの生体情報を獲得する。プロセッサ４３０は望む生体情報の獲得のために、電子装置４００の着用可否を検出し、着用状態（例えば、緊着（ｔｉｇｈｔ）又は緩着（ｌｏｏｓｅ））及び／又はモーション状態（例えば、平常（安静）時、睡眠、運動中など）を決定する。プロセッサ４３０は決定された着用状態及び／又はモーション状態に基づいて生体情報の獲得のために用いる発光素子及び／又は受光素子を決定する。プロセッサ４３０の具体的な動作に対しては図６乃至図１５を介してより詳しく説明する。
【００５８】
図５は、多様な実施形態による電子装置のブロック図である。
図５は、光学センサモジュール５１０（例えば、図４の光学センサモジュール４１０）の各発光素子５１２ａ、５１２ｂ及び／又は受光素子５１４ａ、５１４ｂ、５１４ｃを制御するための回路構造を示している。
【００５９】
図示されたように、光学センサモジュール５１０は複数の発光素子（例えば、第１発光素子５１２ａ及び第２発光素子５１２ｂ）及び複数の受光素子（例えば、第１受光素子５１４ａ、第２受光素子５１４ｂ及び第３受光素子５１４ｃ）を含む。複数の発光素子５１２ａ、５１２ｂ及び複数の受光素子５１４ａ、５１４ｂ、５１４ｃは図２（ｂ）を介して説明したように一列に配置されるが、これに限定されない。
【００６０】
センサ回路５８０は、電気的にプロセッサ５３０と光学センサモジュール５１０の間に設けられ、プロセッサ５３０の制御信号によって各々の発光素子５１２ａ、５１２ｂを駆動し、各々の受光素子５１４ａ、５１４ｂ、５１４ｃで受信した信号をプロセッサ５３０に提供するための構成である。センサ回路５８０は発光素子駆動回路５８２、ＭＵＸ（ｍｕｌｔｉｐｌｅｘｅｒ）５８４、ＡＤＣ（ａｎａｌｏｇ−ｔｏ−ｄｉｇｉｔａｌ  ｃｏｎｖｅｒｔｅｒ）５８６を含む。
【００６１】
発光素子駆動回路５８２は、プロセッサ５３０の制御信号に従って第１発光素子５１２ａ及び／又は第２発光素子５１２ｂを駆動する。一実施形態によれば、第１発光素子５１２ａ及び第２発光素子５１２ｂは出力強度及び出力波長において異なる属性を有し、この場合、プロセッサ５３０は生体情報の測定に用いる第１発光素子５１２ａ及び第２発光素子５１２ｂのうちの少なくとも一つを決定し発光素子駆動回路５８２に制御信号を出力し、発光素子駆動回路５８２は受信した制御信号に基づいて第１発光素子５１２ａ及び／又は第２発光素子５１２ｂを駆動する。他の一実施形態によれば、第１発光素子５１２ａ及び第２発光素子５１２ｂは各々多様な出力強度及び出力波長を持つ。この場合、制御信号は駆動するべき発光素子と、各発光素子が出力する光の出力強度及び出力波長に係る情報を含む。
【００６２】
第１受光素子乃至第３受光素子５１４ａ、５１４ｂ、５１４ｃは受光強度（例えば、検出された光量に対応するアナログ電気信号）を獲得後、ＭＵＸ５８４に出力し、ＭＵＸ５８４は各受光素子５１４ａ、５１４ｂ、５１４ｃから送信された信号を一つのチャンネルにマルチプレクスしてＡＤＣ５８６に出力する。他の一実施形態によれば、ＭＵＸ５８４は各受光素子５１４ａ、５１４ｂ、５１４ｃから送信された信号を各々別途のチャンネルを介してＡＤＣ５８６に出力する。ＡＤＣ５８６は受信された受光強度をデジタル信号に変換してプロセッサ５３０に出力する。
【００６３】
多様な実施形態による電子装置５００は、第１属性を有する第１発光素子５１２ａと第２属性を有する第２発光素子５１２ｂを含む発光モジュール、及び第１、第２発光素子５１２ａ、５１２ｂと隣接して配置された受光素子５１４ａ、５１４ｂ、５１４ｃからなる受光モジュールを含む生体センサモジュール５１０、及びプロセッサ５３０を含み、プロセッサ５３０は、発光モジュールから出力された光が外部客体にぶつかって反射された反射光に少なくとも基づいて、生体センサモジュール５１０と前記外部客体の間の距離を決定し、前記距離に少なくとも基づいて、第１発光素子５１２ａ及び第２発光素子５１２ｂのうちの少なくとも一つの発光素子を選択し、及び前記選択された少なくとも一つの発光素子を用いて、前記外部客体に関する生体情報を獲得するように設定される。
【００６４】
多様な実施形態によれば、第１発光素子５１２ａ及び第２発光素子５１２ｂは出力強度又は出力波長のうちの少なくとも一つが互いに相違する属性を含む。
【００６５】
多様な実施形態によれば、前記受光モジュールは第１受光素子５１４ａ、第２受光素子５１４ｂ、及び第３受光素子５１４ｃを含み、プロセッサ５３０は、前記距離に少なくとも基づいて、前記反射光を検出するための少なくとも一つの受光素子を選択するように設定される。
【００６６】
多様な実施形態によれば、プロセッサ５３０は、第１発光素子５１２ａ又は第２発光素子５１２ｂのうちの少なくとも一つが光を出力し、前記出力された光に対応する反射光の強度が指定された値より大きい場合、第１発光素子５１２ａ及び第２発光素子５１２ｂが光を出力するように設定される。
【００６７】
多様な実施形態によれば、プロセッサ５３０は、生体センサモジュール５１０と前記外部客体の間の前記決定された距離に少なくとも基づいて、生体センサモジュール５１０と前記外部客体の密着度を第１密着度又は第２密着度と決定し、前記決定された密着度に少なくとも基づいて生体情報を獲得するための少なくとも一つの発光素子を選択するように設定される。
【００６８】
多様な実施形態によれば、プロセッサ５３０は、前記密着度が第１密着度と決定された場合、第１発光素子５１２ａ及び第２発光素子５１２ｂのうちの何れか一つを駆動して前記生体情報を獲得し、前記密着度が第２密着度で決定された場合、第１発光素子５１２ａ又は第２発光素子５１２ｂのうちの少なくとも一つを駆動して前記生体情報を獲得するように設定される。
【００６９】
多様な実施形態によれば、モーションセンサ４２０をさらに含み、プロセッサ５３０は、モーションセンサ４２０を用いて電子装置５００の状態を第１状態及び第２状態のうちの何れか１つと決定し、前記第１状態又は第２状態に基づいて第１発光素子５１２ａ又は第２発光素子５１２ｂのうちの少なくとも一つを駆動して前記外部客体に対する生体情報を獲得するように設定される。
【００７０】
多様な実施形態によれば、プロセッサ５３０は、電子装置５００の状態が第２状態の場合、前記第２状態に対応して指定された第２発光素子５１２ｂを駆動するように設定される。
【００７１】
多様な実施形態による電子装置５００は、複数の発光素子５１２ａ、５１２ｂ及び複数の受光素子５１４ａ、５１４ｂ、５１４ｃを含む生体センサモジュール５１０、及び生体センサモジュール５１０と電気的に接続されているプロセッサ５３０を含み、プロセッサ５３０は、複数の発光素子５１２ａ、５１２ｂが光を出力するようにし、複数の受光素子５１４ａ、５１４ｂ、５１４ｃを駆動し、複数の受光素子５１４ａ、５１４ｂ、５１４ｃから検出された受光強度を獲得し、前記受光強度に基づいて各々の発光素子５１２ａ、５１２ｂと外部客体の間との距離を決定し、前記距離に基づいて電子装置５００の着用状態を決定し、前記決定された着用状態に基づいて生体情報獲得に用いる複数の発光素子５１２ａ、５１２ｂのうちの少なくとも一つ、及び前記少なくとも一つの発光素子の出力波長を決定し、前記決定された着用状態に基づいて生体情報獲得に用いる複数の受光素子５１４ａ、５１４ｂ、５１４ｃのうちの少なくとも一つを決定し、前記決定された少なくとも一つの受光素子から検出された受光強度に基づいて前記外部客体に対する生体情報を獲得するように設定される。
【００７２】
多様な実施形態によれば、プロセッサ５３０は、電子装置５００のモーション情報を獲得し、前記獲得されたモーション情報に基づいて電子装置５００のモーション状態を決定し、前記決定されたモーション状態にさらに基づいて複数の発光素子５１２ａ、５１２ｂのうちの少なくとも一つ、及び前記少なくとも一つの発光素子の出力波長を決定し、前記決定されたモーション状態にさらに基づいて複数の受光素子５１４ａ、５１４ｂ、５１４ｃのうちの少なくとも一つを決定するように設定される。
【００７３】
多様な実施形態によれば、プロセッサ５３０は、各々の発光素子５１２ａ、５１２ｂと外部客体との間の距離の平均値が指定された値より小さい場合、前記着用状態を第１状態と決定し、各々の発光素子５１２ａ、５１２ｂと外部客体との間の距離の平均値が前記指定された値より大きいか同じである場合、前記着用状態を第２状態と決定し、前記着用状態が前記第１状態と決定された場合、複数の発光素子５１２ａ、５１２ｂのうちの少なくとも２個を選択し、前記選択された少なくとも２個の発光素子の出力波長を互いに異なる値に決定し、前記着用状態が前記第２状態と決定された場合、複数の発光素子５１２ａ、５１２ｂのうちの何れか一つを選択するように設定される。
【００７４】
多様な実施形態によれば、プロセッサ５３０は、前記着用状態及び前記モーション状態に対応する少なくとも一つのタイプの生体情報を獲得するように設定される。
【００７５】
図６は、多様な実施形態による電子装置の生体情報獲得方法のフローチャートである。
図示された方法は電子装置のプロセッサ（例えば、図４のプロセッサ４３０、図５のプロセッサ５３０）によって実行され、前述した技術的特徴に対しては以下では、その説明を省略する。
【００７６】
動作６１０で、プロセッサは電子装置がユーザによって着用されたか否かを検出する。プロセッサは光学センサモジュール（例えば、図５の光学センサモジュール５１０）の複数の発光素子（例えば、図５の第１発光素子５１２ａ、第２発光素子５１２ｂ）のうちの予め決定された少なくとも一つの発光素子を介して光を出力し、受光素子（例えば、図５の第１受光素子５１４ａ、第２受光素子５１４ｂ、第３受光素子５１４ｃ）で検出される反射光の強度を介して電子装置の着用可否を検出する。動作６１０のより詳細的な動作に対しては図７を介してより詳しく説明する。
【００７７】
動作６１０の実行結果、電子装置がユーザによって着用されたことが検出される場合、動作６２０で、プロセッサは電子装置の着用状態（又は密着度）を判断する。プロセッサは２個以上の発光素子又は全ての発光素子を用いて電子装置が適切に（即ち、タイト（ｔｉｇｈｔ）に）着用されたか、又は不適切に（即ち、ルース（ｌｏｏｓｅ）に）着用されたかを確認する。動作６２０のより詳細的な動作に対しては図８乃至図１２を介してより詳しく説明する。
【００７８】
動作６３０で、プロセッサは電子装置のモーション状態を判断する。プロセッサはモーションセンサ（例えば、図４のモーションセンサ４２０）のセンシング結果に基づいて電子装置の着用状態を平常、睡眠中又は運動中のように分類することができる。動作６３０は動作６２０の以後に行われる必要はなく、動作６２０と少なくとも一部に同時に又は動作６２０以前に行われることもできる。動作６３０に対しては図１３を介してより詳しく説明する。
【００７９】
動作６４０で、プロセッサは決定された電子装置の着用状態及び／又はモーション状態に少なくとも基づいて生体情報獲得に用いる発光素子及び／又は受光素子を選択する。多様な実施形態によれば、プロセッサは決定された着用状態及び／又はモーション状態とマッピングされる情報をメモリ（例えば、図４のメモリ４４０）に記憶されたテーブルから抽出し、それによって発光素子及び／又は受光素子を選択する。
【００８０】
動作６５０で、プロセッサは動作６４０で決定された発光素子及び受光素子を用いて生体情報（例えば、心拍、ストレス、血中酸素飽和度（ＳｐＯ２など）を獲得する。
【００８１】
動作６４０の発光素子及び受光素子を選択する実施形態とそれによって動作６５０で獲得可能な生体情報の例に対しては図１４を介してより詳しく説明する。
【００８２】
図７は、多様な実施形態による電子装置の着用可否検出動作のフローチャートである。
図７は図６の動作６１０に該当する。
【００８３】
動作７１０で、プロセッサ（例えば、図５のプロセッサ５３０）は電子装置が着用されない状態で予め定められた第１発光素子（例えば、図５の５１２ａ）及び第２発光素子（例えば、図５の５１２ｂ）のうちの少なくとも一つを用いて光を出力する。プロセッサは電子装置が着用されない状態で周期的に発光素子に光を出力させ、この場合、ユーザに視認されないＩＲ（ｉｎｆｒａ−ｒｅｄ）帯域の光を出力させる。
【００８４】
動作７２０で、プロセッサは受光素子（例えば、図５の５１４ａ、５１４ｂ、５１４ｃ）から受信された信号に基づいて発光素子から出力した光がユーザの身体（例えば、図３の３９０）によって反射された反射光の強度を指定された値（例えば、基準値）と比較する。
【００８５】
比較結果、反射光の強度が指定された値より小さいか又は同じである場合、動作７４０でプロセッサは未着用状態と判断し、動作７１０へ戻って周期的に予め定められた第１発光素子及び第２発光素子のうちの少なくとも一つを用いて光を出力させる。
【００８６】
比較結果、反射光の強度が指定された値より大きい場合、動作７３０で、プロセッサは電子装置がユーザによって着用された状態と判断する。着用状態と判断された場合、図６の動作６２０へ進入し以後の動作を実行して第１発光素子及び第２発光素子に光を出力させる。
【００８７】
図８は、多様な実施形態による電子装置の着用状態判断動作のフローチャートである。図９乃至１２は多様な実施形態による電子装置の着用状態の例示及び各着用状態で測定された受光強度のグラフである。
【００８８】
図８は、図６の動作６２０に該当し、以下では図８及び図９乃至１２を介してプロセッサが電子装置の着用状態を判断する過程に対して説明する。以下の動作は図７の過程を介して電子装置がユーザによって着用されていると判断された以後に実行できる。
【００８９】
動作８１０で、プロセッサ（例えば、図５のプロセッサ５３０）は光学センサモジュール（例えば、図５の光学センサモジュール５１０）の２個以上の発光素子（例えば、第１発光素子及び第２発光素子）及び少なくとも一つの受光素子を活性化する。一実施形態によれば、プロセッサは光学センサモジュールに含まれた全ての発光素子及び受光素子を活性化する。
【００９０】
動作８２０で、プロセッサは２個以上の発光素子（例えば、第１発光素子及び第２発光素子）を用いて光を出力する
【００９１】
動作８３０で、プロセッサは各受光素子（例えば、第１受光素子乃至第３受光素子）の検出信号を受信し、検出信号に基づいて生体センサモジュールと外部客体（例えば、ユーザの身体）との間の距離を決定する。
【００９２】
図９及び１１は、第１受光素子乃至第３受光素子を持つ電子装置をユーザが着用した状態を図示している。
図９は、ユーザが電子装置９００をタイト（ｔｉｇｈｔ）に着用した状態、即ち、全ての受光素子９１１、９１２、９１３がユーザの身体９９０に密着した状態（例えば、第１密着度）を示す。図１１は、ユーザが電子装置９００をルース（ｌｏｏｓｅ）に着用した状態、即ち、第３受光素子９２３はユーザの身体９９０に密着した状態であるが、第１受光素子９２１及び第２受光素子９２２はユーザの身体９９０から多少離隔された状態を示す。
【００９３】
図９のように電子装置の着用状態がタイトな状態の場合、各受光素子９１１、９１２、９１３で検出される受光強度の値は図１０の通りである。図１０を参照すれば、各受光素子９１１、９１２、９１３とユーザの身体９９０の距離が実質的に同一であるので各受光素子９１１、９１２、９１３で検出される受光強度の値が時間ｔの経過に対して大きい変動がない。多様な実施形態によれば、プロセッサは図９のように複数の受光素子９１１、９１２、９１３が何れもユーザの身体９９０と接触した場合、何れかの受光素子だけ使用するか、又は、全ての受光素子を用いて生体信号を獲得する。
【００９４】
図１１のように電子装置の着用状態がルースな状態の場合、各受光素子９２１、９２２、９２３で検出される受光強度の値は図１２の通りである。図１２を参照すれば、各受光素子９２１、９２２、９２３とユーザの身体９９０との距離が相異なるので、各受光素子９２１、９２２、９２３で検出される受光強度の値は、受光素子間でも経時的にも大きい差を示す。多様な実施形態によれば、プロセッサは図１１のように複数の受光素子のうちで一部（例えば、第３受光素子９２３）だけがユーザの身体と接触した場合、接触している受光素子（例えば、第３受光素子９２３）だけを用いて生体信号を獲得する。一実施形態によれば、プロセッサは電子装置の着用状態がルースな状態と判断される場合、生体情報の正確な測定のために、ディスプレー（例えば、図４のディスプレー４５０）を介してストラップを固定してタイトな着用へ誘導するためのアラームを提供する。
【００９５】
プロセッサは各受光素子で検出される受光強度の相関度に基づいて、電子装置の着用状態が図９のようなタイトな状態であるか、又は図１１のようなルースな状態であるか、を決定することができる。例えば、プロセッサは各受光強度値の変化率、受光強度レベル単位の分散値、受光強度間の相関度値（ｃｏｒｒｅｌａｔｉｏｎ）に基づいて光学センサモジュールとユーザの身体間の距離を確認する。
【００９６】
動作８４０で、プロセッサは決定された生体センサモジュールとユーザ身体の距離と指定された値（例えば、基準値）を比較する。
【００９７】
比較結果、前記距離が指定された値より小さい場合、プロセッサは動作８５０で、電子装置の着用状態を第１密着度（タイトな状態、即ち、適切な着用状態）と決定する。
【００９８】
比較結果、前記距離が指定された値より大きいか同じである場合、プロセッサは動作８６０で、電子装置の着用状態を第２密着度（ルースな状態、即ち、不適切な着用状態）と決定する。
【００９９】
一実施形態によれば、プロセッサは生体センサモジュールと外部客体との距離を決定せず、各受光素子から獲得された信号に少なくとも基づいて電子装置の着用状態を決定する。例えば、各受光素子で検出される受光強度の相関度が第１範囲に属する場合、電子装置の着用状態を第１密着度と決定し、受光強度の相関度が第２範囲に属する場合、電子装置の着用状態を第２密着度と決定する。この場合、動作８３０乃至動作８４０は省略される。
【０１００】
図１３多様な実施形態による電子装置のモーション状態判断動作のフローチャートである。図１３は、図６の動作６３０に該当し、動作６２０の着用状態判断動作と少なくとも一部同時に行われることもできる。
【０１０１】
動作１０１０で、プロセッサ（例えば、図４のプロセッサ４３０、図５のプロセッサ５３０）はモーションセンサ（例えば、図４のモーションセンサ４２０）からモーション情報を獲得する。モーションセンサは電子装置の動き状態を検出できるジャイロセンサ、加速度センサなどを用いて具現される。
【０１０２】
動作１０２０で、プロセッサは獲得された動きのサイズ（例えば、電子装置の加速度）を指定された範囲（例えば、基準範囲）と比較する。
【０１０３】
動作１０４０で、プロセッサは獲得された動きのサイズの属する範囲が最も小さい範囲内に属する場合、電子装置の動きが殆どないことで、睡眠状態に対応する第２モーション状態と決定する。一実施形態によれば、電子装置の着用方向を追加で考慮してユーザが横になっている状態と判断され、電子装置の動きが指定された範囲に属する場合、睡眠状態で判断する。
【０１０４】
動作１０３０で、プロセッサは獲得された動きのサイズの属する範囲が中間範囲に属する場合、ユーザが電子装置を着用して一般的に活動する平常時の状態に対応する第１モーション状態と決定する。
【０１０５】
動作１０５０で、プロセッサは獲得された動きのサイズの属する範囲が最も大きい範囲に属する場合、電子装置の動きが非常に大きい状態であるので、運動中の状態に対応する第３モーション状態と決定する。
【０１０６】
図１４は、多様な実施形態による電子装置の状態によって実行できる生体情報測定機能を例示した表である。
【０１０７】
プロセッサ（例えば、図４のプロセッサ４３０、図５のプロセッサ５３０）は光学センサモジュール（例えば、図４の光学センサモジュール４１０、図５の光学センサモジュール５１０）を用いて決定された電子装置の着用状態及びモーションセンサ（例えば、図４のモーションセンサ４２０）を用いて決定されたモーション状態に基づいて、生体情報獲得に用いる発光素子及び受光素子とそれらを用いて獲得する生体情報の種類を決定する。プロセッサはメモリ（例えば、図４のメモリ４４０）に記憶されたテーブルによって発光素子及び受光素子と獲得する生体情報の種類を決定でき、図１４にはそのテーブルの例が示されている。
【０１０８】
ユーザが電子装置をタイトに着用した状態では光学センサモジュールを通じる生体情報の測定正確度は上がるが、ユーザの着用感は下がる。一方、ルースに着用した状態では着用感は優れるが、生体情報の測定時のモーションアーチファクト（ｍｏｔｉｏｎ  ａｒｔｉｆａｃｔ、人工的ノイズ）によって測定正確度は下がる。
【０１０９】
多様な実施形態によれば、プロセッサは電子装置の着用状態がタイトな状態の場合、光が露出する可能性が低いので多様な帯域の発光素子（例えば、Ｇｒｅｅｎ、Ｒｅｄ、ＩＲ）を用いて光を出力し、受光素子の検出效率が良いので何れかの受光素子のみを活性化する。多様な実施形態によれば、電子装置の着用状態がタイトな状態の場合、プロセッサは発光素子のうちで予め決定された又はユーザによって選択された生体情報（例えば、ストレス、血中酸素飽和度など）を測定することができる何れかの発光素子を選択的に駆動する。
【０１１０】
また、プロセッサは電子装置の着用状態がルースな状態の場合、何れか発光素子のみを用いて光を出力し、一つ以上の受光素子を活性化する。
【０１１１】
図１４の表を参考すれば、プロセッサは着用状態がルースな状態で、モーション状態が平常時と決定された場合、複数の発光素子のうちのＧｒｅｅｎ帯域の発光素子のみを用いる。相対的に短波長帯域であるＧｒｅｅｎの場合、モーションアーチファクトに強いので、着用状態がルースな状態でも生体情報の正確な測定が可能である。
【０１１２】
この時、複数の受光素子のうちのユーザの身体に接触する受光素子（例えば、図１１の第３受光素子９２３）のみを活性化し、ユーザの身体から離隔するか、又は外部ノイズに露出した受光素子（例えば、図１１の第１受光素子９２１）及び第２受光素子９２２を非活性化して測定効率を高める。また、プロセッサは測定値が相対的に単純な心拍数（ｈｅａｒｔ＿ｒａｔｅ）を測定するが、ルースな着用状態では光学センサモジュールとユーザの身体の間の距離が不規則的に変化して正確なデータ測定が困難であるので、ストレス及び血中酸素飽和度（ＳｐＯ２）は測定しない場合もある。
【０１１３】
プロセッサは着用状態がルースな状態で、モーション状態が睡眠状態と決定された場合、複数の発光素子のうちのＩＲ帯域の発光素子を介して光を出力し、全ての受光素子を活性化する。この場合、Ｇｒｅｅｎ又はＲｅｄなどの可視光は皮膚に反射されて外部に露出するから、光による睡眠妨害を防止するために目に見えないＩＲ帯域のみを用いる。
【０１１４】
プロセッサは着用状態がルースな状態で、モーション状態が運動状態と決定された場合、ユーザの動きを考慮してモーションアーチファクトに強いＧｒｅｅｎ帯域の発光素子だけを用いて光を出力する。また、全ての受光素子を活性化して心拍数を效果的に測定する。一実施形態によれば、生体情報の測定正確度向上のために電子装置をよりタイトに着用するように誘導するための案内を、ディスプレーを介して出力する。
【０１１５】
プロセッサは着用状態がタイトな状態で、モーション状態が平常時と決定された場合、全ての発光素子を用いて光を出力する。これは多様な帯域の光を用いて心拍数の外に多様な生体情報を獲得するためである。多様な実施形態によれば、プロセッサはこの状態で、予め決定された又はユーザによって選択された生体情報を獲得できる何れかの発光素子を選択的に駆動する。この状態ではリアルタイムでストレス、血中酸素飽和度（ＳｐＯ２）を測定できる。リアルタイムでストレスを測定する場合、ユーザの感情状態まで分かるからより正確な生体情報を獲得できる。さらに、プロセッサは、タイト着用されており受光素子の効率が高いから何れかの受光素子だけを活性化できる。
【０１１６】
プロセッサは着用状態がタイトな状態で、モーション状態が睡眠時と決定された場合、全ての発光素子を用いて光を出力し、何れかの受光素子のみを活性化できる。多様な実施形態によれば、プロセッサはこの状態で、予め定められた又はユーザによって選択された生体情報を獲得できる何れかの発光素子を選択的に駆動できる。睡眠時には血中酸素飽和度の測定を介して睡眠無呼吸症の判断が可能である。一実施形態によれば、睡眠中の状態は日常中の最も安定した状態であるので平常時のストレス値の測定のためのｂａｓｅ値を定義できる。さらに説明すれば、睡眠中の状態で測定された値をベース値に設定してこの後に測定された生体信号をそのベース値と比べてストレス値を測定できる。
【０１１７】
プロセッサは着用状態がタイトな状態であり、モーション状態が運動時と決定された場合、追加的に皮膚水分度を測定できる。皮膚水分度を介して運動中の脱水状態をリアルタイムでモニタリングでき、ユーザに水分を摂取するようにガイドできる。
【０１１８】
図１５は、多様な実施形態による電子装置の生体情報獲得方法のフローチャートである。
図示された方法は図４の電子装置のプロセッサ４３０によって実行され、電子装置は発光モジュール及び受光モジュールを含む光学センサモジュールを含み、発光モジュールはその属性（例えば、出力強度及び出力波長）が相違する第１発光素子及び第２発光素子を含む。
【０１１９】
動作１２１０で、プロセッサは発光モジュールから出力された光が外部客体にぶつかって反射された反射光に少なくとも基づいて、電子装置の着用状態（例えば、タイト又はルース）を判断し、更に、多様な実施形態によれば、プロセッサは前記反射光に少なくとも基づいて生体センサモジュールと外部客体との間の距離を決定し、決定された距離に基づいて電子装置の着用状態を判断する。他の実施形態によれば、プロセッサは生体センサモジュールと外部客体との距離を決定せず、各受光素子から獲得された信号に少なくとも基づいて電子装置の着用状態を決定する。例えば、各受光素子で検出される受光強度の相関度が第１範囲に属する場合、電子装置の着用状態を第１密着度と決定し、受光強度の相関度が第２範囲に属する場合、電子装置の着用状態を第２密着度と決定する。
【０１２０】
動作１２２０で、プロセッサは前記着用状態に少なくとも基づいて、前記第１発光素子及び前記第２発光素子のうちの少なくとも一つの発光素子を選択する。多様な実施形態によれば、プロセッサはモーションセンサの検出結果にさらに基づいて発光素子を選択する。プロセッサが生体センサモジュールと外部客体との間の距離（又は電子装置の着用状態）及びモーション状態に基づいて用いる発光素子を選択する例に対しては前述の図１４を介して説明した。
【０１２１】
動作１２３０で、プロセッサは前記選択された少なくとも一つの発光素子を用いて、前記外部客体に対する生体情報を獲得する。プロセッサが電子装置の各使用状態によって生体情報を獲得する例に対しては前述の図１４を介して説明した。
【０１２２】
多様な実施形態による電子装置５００の生体情報獲得方法は、電子装置５００が第１属性を有する第１発光素子５１２ａと第２属性を有する第２発光素子５１２ｂを含む発光モジュール及び、前記発光モジュールと隣接して配置された受光素子５１４ａ、５１４ｂ、５１４ｃを含む受光モジュールからなる生体センサモジュール５１０を含む場合であって、
前記方法は、前記発光モジュールから出力された光が外部客体にぶつかって反射された反射光に少なくとも基づいて、生体センサモジュール５１０と前記外部客体との間の距離を決定する動作と、前記距離に少なくとも基づいて、第１発光素子５１２ａ及び第２発光素子５１２ｂのうちの少なくとも一つの発光素子を選択する動作、及び前記選択された少なくとも一つの発光素子を用いて、前記外部客体に関する生体情報を獲得する動作と、を含む。
【０１２３】
多様な実施形態によれば、第１発光素子５１２ａ及び第２発光素子５１２ｂは出力強度又は出力波長のうちの少なくとも一つが互いに相違する属性を含む。
【０１２４】
多様な実施形態によれば、前記受光モジュールは少なくとも第１受光素子５１４ａ及び第２受光素子５１４ｂを含み、前記距離に少なくとも基づいて、前記反射光を検出するための少なくとも一つの受光素子を選択する動作をさらに含む。
【０１２５】
多様な実施形態によれば、第１発光素子５１２ａ及び第２発光素子５１２ｂのうちの少なくとも一つを用いて光を出力する動作と、前記出力された光に対応する反射光の強度が指定された値より大きい場合、第１発光素子５１２ａ及び第２発光素子５１２ｂが光を出力する動作と、をさらに含む。
【０１２６】
多様な実施形態によれば、生体センサモジュール５１０と前記外部客体間の距離を決定する動作は、決定された生体センサモジュール５１０と前記外部客体間の距離に基づいて生体センサモジュール５１０と前記外部客体の密着度を第１密着度又は第２密着度と決定する動作を含み、前記少なくとも一つの発光素子を選択する動作は、前記決定された密着度によって生体情報を獲得するための少なくとも一つの発光素子を選択する動作を含む。
【０１２７】
多様な実施形態によれば、前記少なくとも一つの発光素子を選択する動作は、前記密着度が第１密着度と決定された場合、第１発光素子５１２ａ及び第２発光素子５１２ｂのうちの少なくとも一つを選択する動作と、前記密着度が第２密着度と決定された場合、第１発光素子５１２ａ及び第２発光素子５１２ｂのうちの少なくとも一つを駆動して前記生体情報を獲得する動作と、のうちの少なくとも一つを含む。
【０１２８】
多様な実施形態によれば、モーションセンサ４２０を用いて電子装置５００の状態を第１状態及び第２状態のうちの何れか１つと決定する動作をさらに含み、前記少なくとも一つの発光素子を選択する動作は、前記第１状態又は第２状態に基づいて第１発光素子５１２ａ又は第２発光素子５１２ｂのうちの少なくとも一つを駆動する動作を含む。
【０１２９】
多様な実施形態によれば、前記少なくとも一つの発光素子を選択する動作は、電子装置５００の状態が第２状態の場合、前記第２状態に対応して指定された第２発光素子５１２ｂを選択する動作を含む。
【符号の説明】
【０１３０】
１００      ネットワーク環境
１０１、１０２、１０４、２００、４００      電子装置
１０２      外部電子装置
１０８      サーバ
１２０      プロセッサ
１２１      メインプロセッサ（中央処理装置、アプリケーションプロセッサ）
１２３      補助プロセッサ（グラフィック処理装置、イメージシグナルプロセッサ、センサハブプロセッサ、又はコミュニケーションプロセッサ）
１３０      メモリ、
１３２      揮発性メモリ
１３４      不揮発性メモリ
１４０      ソフトウェア（プログラム）
１４２      オペレーティングシステム
１４４      ミドルウェア
１４６      アプリケーション
１５０      入力装置（マイク、マウス、又はキーボード）
１５５      音響出力装置（スピーカ、レシーバ）
１６０      表示装置
１７０      オーディオモジュール
１７６      センサモジュール
１７７      インタフェース
１７８      接続端子、コネクタ
１７９      ハプティックモジュール
１８０      カメラモジュール
１８８      電力管理モジュール
１８９      バッテリ
１９０      通信モジュール
１９２      無線通信モジュール
１９４      有線通信モジュール
１９６    加入者識別モジュール
１９７      アンテナモジュール
１９８      第１ネットワーク（例えば、近距離無線通信）
１９９      第２ネットワーク（例えば、遠距離無線通信）
２６０      ディスプレー（表示装置）
３１２ａ、３１２ｂ      第１、第２発光素子
３９０      外部客体
３９２      潅流組織
３９４      骨
４１０      光学センサモジュール
４２０      モーションセンサ
４３０      プロセッサ
４４０      メモリ
４５０      ディスプレー
４６０      通信モジュール
５１０      光学センサモジュール
５１２ａ、５１２ｂ      発光素子
５１４ａ、５１４ｂ、５１４ｃ      受光素子
５３０      プロセッサ
５８０      センサ回路
５８２      発光素子駆動回路
５８４      ＭＵＸ
５８６      ＡＤＣ
９１１、９１２、９１３      第１、第２、第３受光素子（タイト着用の場合）
９２１、９２２、９２３      第１、第２、第３受光素子（ルース着用の場合）
９９０      ユーザの身体
【図１】
2019042500.tif 000003
【図２】
2019042500.tif 000004
【図３】
2019042500.tif 000005
【図４】
2019042500.tif 000006
【図５】
2019042500.tif 000007
【図６】
2019042500.tif 000008
【図７】
2019042500.tif 000009
【図８】
2019042500.tif 000010
【図９】
2019042500.tif 000011
【図１０】
2019042500.tif 000012
【図１１】
2019042500.tif 000013
【図１２】
2019042500.tif 000014
【図１３】
2019042500.tif 000015
【図１４】
2019042500.tif 000016
【図１５】
2019042500.tif 000017